(57)【要約】      （修正有）【課題】ペットシーツであって、未漂白の原生天然竹繊維制菌エコペットシーツ及びその加工装置を提供する。【解決手段】ペットシーツの第１層１、ペットシーツの第１層の下には、第１未漂白の原生天然竹パルプ紙層２が設けられ、第１未漂白の原生天然竹パルプ紙層の下には、第２未漂白の原色原生天然竹パルプ紙層３が設けられ、第２未漂白の原色原生天然竹パルプ紙層の下には、高分子ＳＡＰ吸水因子層４が設けられ、高分子ＳＡＰ吸水因子層の下には、第１絨毛パルプ層７が設けられ、第１絨毛パルプ層の下には、第２絨毛パルプ層が設けられる。第１未漂白の原生天然竹パルプ紙層、第２未漂白の原色原生天然竹パルプ紙層、高分子ＳＡＰ吸水因子層、第１、第２絨毛パルプ層と第３未漂白の原生天然竹パルプ紙層は核心吸収層であり、非常に強い吸収性をもっており、ペットの尿の溢れを防止すると同時に制菌の役割を確実に果たし、細菌の感染と伝播を減少させる。【選択図】図１
0003227159.tif 000002
【実用新案登録請求の範囲】
【請求項１】
未漂白の原生天然竹繊維制菌エコペットシーツであって、ペットシーツの第１層（１）を
含み、前記ペットシーツの第１層（１）の下には、第１未漂白の原生天然竹パルプ紙層（
２）が設けられ、前記第１未漂白の原生天然竹パルプ紙層（２）の下には、第２未漂白の
原色原生天然竹パルプ紙層（３）が設けられ、前記第２未漂白の原色原生天然パルプ紙層
（３）の下には、高分子ＳＡＰ吸水因子層（４）が設けられ、前記高分子ＳＡＰ吸水因子
層（４）の下には、第１絨毛パルプ層（７）が設けられ、前記第１絨毛パルプ層（７）の
下には、第２絨毛パルプ層（８）が設けられ、第２絨毛パルプ層（８）の下には、第３未
漂白の原生天然竹パルプ紙層（６）が設けられ、前記第３未漂白の原生天然竹パルプ紙層
（６）の下には、防水下地層（５）が設けられていることを特徴とする未漂白の原生天然
竹繊維制菌エコペットシーツ。
【請求項２】
前記第１未漂白の原生天然竹パルプ紙層（２）と、第２未漂白の原色原生天然竹パルプ紙
層（３）と、高分子ＳＡＰ吸水因子層（４）と、第１絨毛パルプ層（７）及び第２絨毛パ
ルプ層（８）と、第３未漂白の原生天然竹パルプ紙層（６）と、は強い吸収性を有する核
心吸収層であることを特徴とする請求項１に記載の未漂白の天然竹繊維制菌エコペットシ
ーツ。
【請求項３】
前記ペットシーツの第１層（１）と第１未漂白の原生天然竹パルプ紙層（２）との間、及
び第３未漂白の原生天然竹パルプ紙層（６）と防水下地層（５）との間には、いずれも熱
接着剤が設けられていることを特徴とする請求項１に記載の未漂白の天然竹繊維制菌エコ
ペットシーツ。
【請求項４】
前記ペットシーツの第１層（１）は原色、白色又はその他任意の色、任意の材料であり、
竹繊維又は他の植物繊維及びポリオレフィン系材料を含み、前記防水下地層（５）は任意
の色、任意の材質であり、かつ防水フィルムであり、前記ペットシーツの厚さは０．２〜
２０ｍｍであることを特徴とする請求項１に記載の未漂白の天然竹繊維制菌エコペットシ
ーツ。
【請求項５】
未漂白の原生天然竹繊維制菌エコペットシーツの加工装置であって、コンベア（１４）と
サポート（１５）を含み、前記サポート（１５）の上面には制御ボックス（１７）が設け
られ、前記制御ボックス（１７）の上面にはモータ取付板（１６）が設けられ、前記モー
タ取付板（１６）の上面には駆動モータ（１１）が設けられ、前記駆動モータ（１１）の
駆動軸と回転ダム（１３）が繋げられ、前記モータ取付板（１６）の片側には圧着ユニッ
ト（１２）が設けられていることを特徴とする未漂白の原生天然竹繊維制菌エコペットシ
ーツの加工装置。
【請求項６】
前記圧着ユニット（１２）は、取付板（１２１）と圧着ロール（１２６）とを含み、前記
圧着ロール（１２６）の両端には回転軸ブロック（１２５）が貫通して取り付けられ、前
記回転軸ブロック（１２５）の上部にはガイドボルト（１２２）が取り付けられ、前記ガ
イドボルト（１２２）の表面にはスプリング（１２４）が設けられ、前記ガイドボルト（
１２２）の上端にストッパナット（１２３）が設けられていることを特徴とする請求項５
に記載の未漂白の原生天然竹繊維制菌エコペットシーツの加工装置。
【請求項７】
前記取付板（１２１）の底部は、モータ取付板（１６）の側壁と接触して取り付けられ、
前記ガイドボルト（１２２）は取付板（１２１）に貫通して取り付けられ、かつ前記スト
ッパナット（１２３）は、取付板（１２１）の上表面に設けられ、前記スプリング（１２
４）の一端は取付板（１２１）の下表面に接触して設けられ、前記スプリング（１２４）
の他端は回転軸ブロック（１２５）の下表面に接触して設けられていることを特徴とする
請求項６に記載の未漂白の原生天然竹繊維制菌エコペットシーツの加工装置。
【考案の詳細な説明】
【技術分野】
【０００１】
本実用新案はペットシーツの技術分野に関わる。具体的には未漂白の原生天然竹繊維制菌
エコペットシーツ及びその加工装置である。
【背景技術】
【０００２】
現代の家庭においては、ペットを飼うことは非常に一般的であり、ペットの飼育レベルと
規模の増大に伴い、ペット排泄物の合理的な処置も早急に解決しなければならない問題と
なっている。排泄物の中には目に見えない細菌や病原菌がたくさん存在しているため、適
切な処理ができなければ、人とペットの交差感染を引き起こしやすい。
【０００３】
現在、ペットの排泄物の処理に多く使われているのはペットシーツであるが、既存のペッ
トシーツには以下の問題が存在している。(1) 現在市販されているペットシーツには、吸
水下地とペットシーツの多くはパルプを主とする。年間の需要量のますます増加に伴い、
世界的な木材の供給がますます緊迫してきた。なお、木の成長周期は長く、生産できる製
品が限られ、木の伐採は生態系のバランスが壊れ、どのように森林資源環境を保護し、原
料の不足問題を解決することは、既に目の前に迫っている。（2） 現在市販されいるペッ
トシーツは制菌・消臭の役割をうまく果たしていなく、長期に渡って使用されると、ペッ
トの衛生が保障されず、さらに間接的に人の健康に影響することになる。（3） ペットは
よく物を噛む癖があるので、市販されているペットシーツの安全性が悪く、ペットが病気
になる確率が高くなった。
【０００４】
また、未漂白の天然竹繊維制菌エコペットシーツの加工装置は、ペットシーツを巻き取り
梱包する時にしっかり押さえられず、巻き取ったペットシーツが緩むという問題が存在す
る。
【考案の概要】
【０００５】
既存の技術不足に対して、本実用新案は未漂白の天然竹繊維制菌エコペットシーツ及びそ
の加工装置を開示し、背景技術に提出された問題を解決した。
【０００６】
上記の目的を達成するために、本実用新案は以下の技術案により実現される。未漂白の原
生天然竹繊維制菌エコペットシーツであり、ペットシーツの第1層を含め、前記ペットシ
ーツの第1層の下には、第1未漂白の原生天然竹パルプ紙層が設けられ、前記第1未漂白の
原生天然竹パルプ紙層の下には、第2未漂白の原色原生天然竹パルプ紙層が設けられ、前
記第2未漂白の原色原生天然パルプ層の下には、高分子SAP吸水因子層が設けられ、前記高
分子SAP吸水因子層の下には、第1絨毛パルプ層が設けられ、前記第1絨毛パルプ層の下に
は、第2絨毛パルプ層が設けられ、第2絨毛パルプ層の下には、第3未漂白の原生天然竹パ
ルプ紙層が設けられ、前記第3未漂白の原生天然パルプ紙層の下には、防水下地層が設け
られる。
【０００７】
好ましくは、前記第1未漂白の原生天然竹パルプ紙層、第2未漂白の原色原生天然竹パルプ
紙層、高分子SAP吸水因子層、第1絨毛パルプ層、第2絨毛パルプ層、第3未漂白の原生天然
竹パルプ紙層は核心吸収層である。核心吸収層とは、非常に強い吸収性を有する吸収層で
ある。
【０００８】
好ましくは、前記ペットシーツの第1層と第1未漂白の原生天然竹パルプ紙層との間、及び
第3未漂白の原生天然竹パルプ紙層と防水下層との間には、いずれも熱接着剤が設けられ
る。
【０００９】
好ましくは、前記ペットシーツの第1層は原色、白色又はその他任意の色材料である（竹
繊維又は他の植物繊維及びポリオレフィン系材料を含むがこれらだけに限らない）。防水
下地層は任意の色、材質で、かついずれかの加工プロセスの防水フィルムであり、前記ペ
ットシーツの厚さは0.2〜20mmである。
【００１０】
本実用新案は、さらに未漂白の原生天然竹繊維制菌エコペットシーツの加工装置を開示し
、コンベアとサポートを含む。前記サポートの上面には制御ボックスが設けられ、前記制
御ボックスの上面にはモータ取付板が設けられ、前記モータ取付板の上面には駆動モータ
が設けられ、前記駆動モータの駆動軸と回転ダムが繋がられ、前記モータ取付板の片側に
は圧着ユニットが設けられる。
【００１１】
好ましくは、前記圧着ユニットは、取付板と圧着ロールとを含み、前記圧着ロールの両端
には回転軸ブロック（125）が貫通して取り付けられ、前記回転軸ブロックの上部にはガ
イドボルトが取り付けられ、前記ガイドボルトの表面にはスプリングが設けられ、前記ガ
イドボルトの上端にネジ式でストッパナットが設けられる。
【００１２】
好ましくは、前記取付板の底部はモータ取付板の側壁と接触して取り付けられ、前記ガイ
ドボルトは取付板に貫通して取り付けられ、かつ前記ストッパナットは取付板の上面に設
けられ、前記スプリングの一端は取付板の下表面に接触して設けられ 、前記スプリング
の他端は回転軸ブロックの上表面に接触して設けられる。
【００１３】
本実用新案は、未漂白の原生天然竹繊維制菌エコペットシーツ及びその加工装置を提供し
て、既存の技術に比べて以下の有利な効果がある。
【００１４】
1.未漂白の原生天然竹繊維制菌エコペットシーツであり、ペットシーツの第1層、前記ペ
ットシーツの第1層の下には、第1未漂白の原生天然竹パルプ紙層が設けられ、前記第1未
漂白の原生天然竹パルプ紙層の下には、第2未漂白の原色原生天然竹パルプ紙層が設けら
れ、前記第2未漂白の原色原生天然パルプ層の下には、高分子SAP吸水因子層が設けられ、
前記高分子SAP吸水因子層の下には、第1絨毛パルプ層が設けられ、前記第1絨毛パルプ層
の下には、第2絨毛パルプ層が設けられ、かつ、第2絨毛パルプ層の下には第3未漂白の原
生天然竹パルプ紙層が設けられ、前記第3未漂白の原生天然パルプ紙層の下には、防水下
地層が設けられ、全体のペットシーツは非常に強い吸収性を持ってあり、制菌の役割をし
っかりと果たして、細菌の感染と伝播を減らした。第1未漂白の原生天然竹パルプ紙層、
第2未漂白の原色原生天然竹パルプ紙層、第3未漂白の原生天然竹パルプ紙層、及び第1、
第2竹絨毛パルプ層はいずれも原色原生天然竹パルプで作られ、製品のグリーンエコ効果
を有効に高めて、使用がさらに安全である。
【００１５】
2.未漂白の原生天然竹繊維制菌エコペットシーツの加工装置であり、圧着ユニットは、取
付板と圧着ロールとを含み、前記圧着ロールの両端には回転軸ブロック（125）が貫通し
て取り付けられ、前記回転軸ブロックの上部にはガイドボルトが取り付けられ、前記ガイ
ドボルトの表面にはスプリングが設けられ、前記ガイドボルトの上端にネジ式でストッパ
ナットが設けられ、ペットシーツを巻き取り梱包する時にしっかり押さえられず、巻き取
ったペットシーツが緩むという問題を解決した。
【図面の簡単な説明】
【００１６】
【図１】図1は、未漂白の原生天然竹繊維制菌エコペットシーツの構造模式図。
【図２】図2は、未漂白の原生天然竹繊維制菌エコペットシーツの断面図。
【図３】図3は、未漂白の原生天然竹繊維制菌エコペットシーツの加工装置の構造模式図。
【図４】図4は、未漂白の原生天然竹繊維制菌エコペットシーツの加工装置圧着ユニットの構造模式図。
【００１７】
［符号の説明］
1  ペットシーツの第1層
2  第1未漂白の原生天然竹パルプ紙層
3  第2未漂白の原色原生天然竹パルプ紙層
4  高分子SAP吸水因子層
5  防水下地層
6  第3未漂白の原生天然竹パルプ紙層
7  第1絨毛パルプ層
8  第2絨毛パルプ層
11  駆動モータ
12  圧着ユニット
121  取付板
122  ガイドボルト
123  ストッパナット
124  スプリング
125  回転軸ブロック
126  圧着ロール
13  回転ダム
14  コンベア
15  サポート
16  モータ取付板
17  制御ボックス
【考案を実施するための形態】
【００１８】
次に、本実用新案実施例の添付の図面を参照しながら、本実用新案の実施例における技術
方案を明確に、完全に説明する。明らかに、説明する実施例は本実用新案の一部の実施例
に過ぎず、全部の実施例ではない。本実用新案における実施例に基づき、本分野の技術者
が創造的な労働が出さない前提で取得したその他実施例は、いずれも本実用新案の保護範
囲に属する。
【００１９】
図1〜2を参照して、本実用新案は技術方案を開示する。未漂白の原生天然竹繊維制菌エコ
ペットシーツであり、ペットシーツの第1層を含め、ペットシーツの第1層（1）は原色、
白色又はその他任意色の材料である（竹繊維又は他の植物繊維及びポリオレフィン系材料
を含むがこれらだけに限らない）。前記防水下地層（5）は任意の色、材質であり、かつ
いずれかの加工プロセスの防水フィルムであり、ペットシーツの厚さは0.2〜20mmである
。ペットシーツの第1層(1)の下には、第1未漂白の原生天然竹パルプ紙層(2)が設けられ、
ペットシーツの第1層は原色、白色又はその他任意色の材料である（竹繊維又は他の植物
繊維及びポリオレフィン系材料を含むがこれらだけに限らない）。第1未漂白の原生天然
竹パルプ紙層（2）の下には、第2未漂白の原色原生天然竹パルプ紙層(3)が設けられ、第2
未漂白の原色原生天然竹パルプ紙層（3）の下には、高分子SAP吸水因子層(4)が設けられ
、高分子SAP吸水因子層(4)の下には、第1絨毛パルプ層(7)が設けられ、前記第1絨毛パル
プ層(7)の下には、第2絨毛パルプ層(8)が設けられ、前記第2絨毛パルプ層(8)の下には、
第3未漂白の原生天然竹パルプ紙層(6)、第1未漂白の原生天然竹パルプ紙層(2)、第2未漂
白の原色原生天然竹パルプ紙層(3)、高分子SAP吸水因子層（4）、第1絨毛パルプ層(7)と
第2絨毛パルプ層（8）が設けられ、第3未漂白の原生天然竹パルプ紙層は核心吸収層であ
る。第3未漂白の原生天然竹パルプ紙層（6）の下には、防水下地層（5）が設けられ、ペ
ットシーツの第1層と第1未漂白の原生天然竹パルプ紙層（2）との間、及び第3未漂白の原
生天然竹パルプ紙層（6）と防水下層（5）との間には、いずれも熱接着剤が設けられる。
防水下地層（5）は任意の色、材質で、かついずれかの加工プロセスの防水材料で作られ
、水止の効果が有効に果たした。第1未漂白の原生天然竹パルプ紙層(2)、第2未漂白の原
色原生天然竹パルプ紙層(3)、第3未漂白の原生天然竹パルプ紙層（6）、及び第1、第2竹
絨毛パルプ層はいずれも原色原生天然竹パルプで作られ、製品のグリーンエコ効果を有効
に高めて、使用がさらに安全である。特別に説明することは、本出願書類には、ペットシ
ーツの第1層は原色、白色又はその他任意色の材料である（竹繊維又は他の植物繊維及び
ポリオレフィン系材料を含むがこれらだけに限らない）。前記防水下地層（5）は任意の
色、材質であり、かついずれかの加工プロセスの防水フィルムである。
【００２０】
図面3〜4を参照して、本実用新案は技術方案を開示して、未漂白の原生天然竹繊維制菌エ
コペットシーツの加工装置を開示し、コンベア（14）とサポート（15）を含む。
【００２１】
サポート（15）の上面に制御ボックス(17)が設けれられ、制御ボックス(17)の上面にはモ
ータ取付板(16)が設けられ、モータ取付板(16)の上面には駆動モータ(11)が設けられ、前
記駆動モータ(11)の駆動軸と回転ダム（13）が繋がられ、モータ取付板（16）の片側には
圧着ユニット（12）が設けられる。圧着ユニット（12）は、取付板（121）と圧着ロール
（126）とを含み、圧着ロール（126）の両端には回転軸ブロック（125）が取り付けられ
、記回転軸ブロック（125）の上部にはガイドボルト（122）が取り付けられる。ガイドボ
ルト（122）の表面にはスプリング（124）が設けられ、ガイドボルト（122）の上端にネ
ジ式でストッパナット(123)が設けられ、取付板（121）の底部は、モータ取付板（16）の
側壁と接触して取り付けられ、ガイドボルト（122）は取付板（121）に貫通して取り付け
られ、かつストッパナット（123）は取付板（121）の上表面に設けられ、スプリング（12
4）の一端は取付板（121）の下表面に接触して設けられ、スプリング（124）の他端は回
転軸ブロック（125）の上表面に接触して設けられる。
【００２２】
本実用新案は、さらに開示した内容は、未漂白の原生天然竹繊維制菌エコペットシーツに
おける第1未漂白の原生天然竹パルプ紙層（2）、第2未漂白の原色原生天然竹パルプ紙層(
3)、第3未漂白原生天然竹パルプ層(6)と（7）及び第1、第2竹絨毛パルプ層（8）の製造原
材料は、いずれも天然の叢竹で作られる原生パルプである。木の代わりに竹を使用すると
、竹の生長周期が速くて、再生性があり、森林資源を保護し、森林の酸素供給能力、環境
及び生態系を保護することができる。
【００２３】
（１）竹は多年の草本植物で、成長周期が短く、再生能力が強く、竹は、9〜15年になら
ないと成長できない木の代わりに原料として使用すると、さらに自然・環境に優しく、木
の消耗を直接に減すことができる。
（２）原料から紙になるまで、高温蒸煮、数回洗浄などの伝統的な製紙技術を採用し、生
産過程において、細菌、不純物の発生を最大程度に減らすことができる。
（３）原竹パルプは自然未漂白なので、更に安心に使用することができる。
【００２４】
未漂白の原生天然竹繊維制菌エコペットシーツの核心吸収層は、未漂白の原生天然竹パル
プ及び竹絨毛パルプを使用し、その原材料は純竹で作った竹パルプであり、これは特殊な
プロセスを利用して竹から抽出した天然制菌、未漂白無添加のエコ型材料であり、応用分
野が広い。
【００２５】
未漂白の原色原生天然の抗菌パルプ紙は、竹繊維の良好な通気性、吸水性を保留して、そ
の物理の強さも伝統木パルの下地より更に優れている。すべての天然繊維の中で、竹繊維
の吸水性と通気性が優れている。原生竹パルプを使って生産した未漂白の原生天然竹パル
プ紙は、竹繊維の立体吸水穴を満たし、吸水後でもばらばらにならず、良い成形度を維持
でき、破損しにくい。
【００２６】
未漂白の原生天然竹繊維制菌エコペットシーツは使用中に粉と滓が落とさないという特徴
を備えている。ペットと主人の皮膚の表面に一切の残留物が残らないので、爽やかで健康
を保つことができる。また、優良品質の未漂白の原生天然竹パルプ紙は竹繊維の天然抗菌
成分ー「タケキノン」を最大限に保留することができる。竹は自然の中に腐りにくく、虫
食いが少ないの理由は、「タケキノン」という成分が天然制菌の作用をもってあり、黄色
ブドウ球菌と大腸菌に対する抑制率がそれぞれ98.78%と99.35%になる。ペットの尿や排泄
物の中で人の健康に有害する物質を効果的に抑制することができ、かつ殺菌効果があるの
で、微生物の発酵による臭気、異臭を減らすことができる。
【００２７】
ペットはよく物を噛む癖があるので、ペットシーツはペットの第2類食品として、安全性
に対する要求も重視する必要があり、この未漂白の原生天然竹パルプ紙の安全性が極めて
高くて、「食べられる紙」とも言える。
【００２８】
使用時、未漂白の天然竹繊維制菌エコペットシーツの加工装置を使って、圧着ロール（12
6）はペットシーツの厚さに応じて、スプリング（124）の作用の下で自動的に調整され、
圧着ロール（126）と回転ダム（13）の間に良好な圧力を保証して、巻き上げられたペッ
トシーツが緩みにくくなる。
【００２９】
特別に説明することは、本明細書では、第1と第2のような関係用語は、1つの実体または
動作を他の実体または動作と区別するためにのみ使用され、これらの実体または動作の間
にこのような実際的な関係または順序が存在することを必ずしも要求しない、または暗示
することはない。さらに、用語「含む」、「含めて」、または他の任意の変形は、非排他
的な要素を含むことを意図する。従って、1連の要素を含むプロセス、方法、物品、また
は装置がそれらの要素を含むだけでなく、明示的にリストされていない他の要素、または
このようなプロセス、方法、物品、または装置に固有の要素も含む。
【００３０】
本実用新案の実施形態を図示し説明したが、当業者にとっては、本実用新案の原理と精神
から逸脱しない限りに、これらの実施形態を様々な変化、修正、置換、変形することが可
能であり、本実用新案の範囲は、添付する実用新案登録請求の範囲およびその均等物によ
って限られることが理解できる。
【図１】
0003227159.tif 000003
【図２】
0003227159.tif 000004
【図３】
0003227159.tif 000005
【図４】
0003227159.tif 000006